Podtech/llm-jp-corpus-v4-ja_patent huggingface dataset:
(57)【要約】      （修正有）【課題】老人や指先の不自由な人向けとして留める際にバネ穴とゲンコを合わせ易く、然も留め強度に影響しないホック用バネを提供する。【解決手段】割りバネ１はバネ用皿６内に組み付け、このバネ用皿６のゲンコ挿入口２の内縁には、内向きに傾斜したゲンコ誘導スロープ７を形成する。バネ部４は割り４ａを含む。なお、ゲンコ誘導スロープ７は、実施例のように平滑面又は円曲面でも良い。割りバネ１側のゲンコ挿入口２にゲンコ誘導スロープ７を形成すると、ゲンコ５は留めるときにゲンコ誘導スロープ７によりバネ部４の中心に誘導されて合致しやすくなり、ゲンコ５を簡単に留めることができると共に留めた後の嵌合強度は従来品と全く同じとなる。【選択図】図１
0003181052.tif 000002
【実用新案登録請求の範囲】
【請求項１】
ホック用バネにおいて、バネ用皿のゲンコ挿入口の内縁を内側に傾斜させてゲンコ誘導スロープを形成し、このスロープによりゲンコをバネの中心に誘導して留め易く形成したこと、を特徴とするホック用バネ。
【請求項２】
前記バネは、リングバネ又はスプリングバネ又は割りバネであること、を特徴とする請求項１に記載のホック用バネ。
【請求項３】
前記リングバネ及びスプリングバネ及び割りバネにおいて、リングバネ及び割りバネ及びスプリングバネとバネ用皿側のゲンコ挿入口との間にスペーサを挿入することでバネ用皿のゲンコ挿入口より深い位置に調整したこと、を特徴とする請求項１又は２に記載のホック用バネ。
【請求項４】
前記ゲンコ誘導スロープは、平滑面又は円曲面で形状されていること、を特徴とする請求項１乃至３のいずれか１項に記載のホック用バネ。
【考案の詳細な説明】
【技術分野】
【０００１】
本考案は、特に老人や指先の不自由な人向けとして留める際にバネ穴とゲンコを合わせ易く、然も留め強度に影響しないホック用バネに関する。
【背景技術】
【０００２】
従来のホック用バネであって、割り４ａ入りの割りバネ１の場合、図５に示すようにバネ用皿６のゲンコ挿入口２の縁３は水平に形成されている。
この点は、図６に示すスプリングバネ１ａ及びリングバネ（図示せず）においても同様である。
【０００３】
そして、ゲンコ５は、図５において矢印方向からゲンコ挿入口２を経由してバネ部４に対して直接挿入する構成であることから、ゲンコ５をバネ１、１ａ側のゲンコ挿入口２を経由してバネ部４に嵌合させるときに、バネ用皿６のゲンコ挿入口２の縁３においてスベリ易く、ゲンコ５をバネ１、１ａの中心に合わせにくく、老人や指先の不自由な人の場合には特に留めにくいという問題があった。
【考案の概要】
【考案が解決しようとする課題】
【０００４】
本考案は、特に老人や指先の不自由な人にも留め易く、然も留め強度に影響しないホック用バネを提供することを課題とする。
【課題を解決するための手段】
【０００５】
本考案は、上記課題を解決するため、請求項１に記載の考案は、ホック用バネにおいて、バネ用皿のゲンコ挿入口の内縁を内側に傾斜させてゲンコ誘導スロープを形成し、このスロープによりゲンコをバネの中心に誘導して留め易く形成したこと、を特徴とするものである。
【０００６】
また、請求項２に記載の考案は、請求項１に記載のホック用バネにおいて、前記バネは、リングバネ又はスプリングバネ又は割りバネであること、を特徴とするものである。
【０００７】
また、請求項３に記載の考案は、請求項１又は２に記載のホック用バネにおいて、前記リングバネ及び割りバネ及びスプリングバネにおいて、リングバネ及びスプリングバネ及び割りバネとバネ用皿との間にスペーサを挿入することでバネ部の位置をバネ用皿側のゲンコ挿入口より深い位置に調整したこと、を特徴とするものである。
【０００８】
また、請求項４に記載の考案は、請求項１乃至３のいずれか１項に記載のホック用バネにおいて、前記ゲンコ誘導スロープは、平滑面又は円曲面で形状されていること、を特徴とするものである。
【考案の効果】
【０００９】
本考案のバネは、ゲンコ挿入口にゲンコ誘導スロープを形成したことにより、ゲンコはゲンコ挿入口のスロープによりバネの中央に誘導され、その上でバネに嵌合する。
【００１０】
留める際にゲンコの中心とゲンコ挿入口の中心を合わせ易く、然もバネに嵌合したときの強度は従来と同様の強度を確保できる。
【００１１】
このため、ゲンコをバネの中心に合わせ易く、よって、老人や指先の不自由な人、あるいは子供等にも留め易く、嵌合強度は従来と変らない効果を得ることができる。
【図面の簡単な説明】
【００１２】
【図１】本考案に係る割りバネとゲンコの分解説明図
【図２】割りバネにおいてスペーサーによりバネの深さを調整した実施例の説明図
【図３】スペーサの説明図
【図４】スプリングバネに本考案を実施した実施例の説明図
【図５】従来の割りバネとゲンコの説明図
【図６】従来のスプリングバネとゲンコの説明図
【考案を実施するための形態】
【実施例】
【００１３】
図１に基づいて本考案に係る割りバネとゲンコの構成を詳細に説明する。
【００１４】
符号の１は割りバネであって、この割りバネ１はバネ用皿６内に組み付けられていて、このバネ用皿６のゲンコ挿入口２の内縁には、内向きに傾斜したゲンコ誘導スロープ７が形成されている。
図中符号の４はバネ部、４ａは割りを示す。
【００１５】
なお、ゲンコ誘導スロープ７は、実施例のように平滑面又は円曲面でも良い。
【００１６】
このように、割りバネ１側のゲンコ挿入口２にゲンコ誘導スロープ７を形成すると、ゲンコ５は留めるときにゲンコ誘導スロープ７によりバネ部４の中心に誘導されて合致しやすくなり、ゲンコ５を簡単に留めることができると共に留めた後の嵌合強度は従来品と全く同じとなる。
【００１７】
図２は、バネ１とバネ用皿６間に図３に示すスペーサ８を挿入した請求項３に記載の発明に対応する実施例であって、バネ部２の位置をバネ用皿６のゲンコ挿入口２より奥の位置になるよう調整した例であって、取り付ける布地等によってはこのタイプが選択される。
【００１８】
図４はスプリングバネ１ａにおいて、バネ用皿６のゲンコ挿入口２にゲンコ誘導スロープ７を形成した請求項２に記載の発明に対応する実施例であって、目的は以上に説明したゲンコ誘導スロープ７付の割りバネ１と同じである。
【００１９】
同様に、リングバネ（図示せず）においても、上記と同様にゲンコ誘導スロープ７を形成することにより、留め易く、外れにくいホック用バネを得ることができる。
【符号の説明】
【００２０】
１  割りバネ
２  ゲンコ挿入口
４  バネ部
５  ゲンコ
６  バネ用皿
７  ゲンコ誘導スロープ
８  スペーサ
【図１】
0003181052.tif 000003
【図２】
0003181052.tif 000004
【図３】
0003181052.tif 000005
【図４】
0003181052.tif 000006
【図５】
0003181052.tif 000007
【図６】
0003181052.tif 000008
(57)【要約】      （修正有）【課題】帯電防止機能が極めて優れたカバーを安価に提供する。【解決手段】エチレン酢酸ビニル共重合体を主体とする組成物に帯電防止剤を含有させた樹脂からなる成形品である。このカバーＡは、携帯型通信端末器Ｂの液晶画面ｂを除く部分を覆い得るように、底板１の四周に枠体２を備えている。【選択図】図１
0003181063.tif 000002
【実用新案登録請求の範囲】
【請求項１】
エチレン酢酸ビニル共重合体を主体とする組成物に帯電防止剤を含有させた樹脂からなる成形品であって、携帯型通信端末器Ｂの液晶画面ｂを除く部分を覆い得るように、底板１の周囲に枠体２を備えていることを特徴とする携帯型通信端末器用カバー。
【考案の詳細な説明】
【技術分野】
【０００１】
本考案は、エチレン酢酸ビニル共重合体を主体とする組成物に帯電防止剤を含有させた樹脂からなる成形品であって、携帯型通信端末器の液晶画面を除く部分を覆い得るようにした携帯型通信端末器用のカバーに関するものである。
【背景技術】
【０００２】
携帯電話、多機能携帯電話（いわゆるスマートフォン）、ＰＨＳなど、各種の携帯型通信端末器の普及に伴って、近年、それを覆うことができるカバーが種々開発され、商品としても爆発的に売れている。
このような状況下、材質がシリコーンゴム製（例えば、特許文献１参照）や、軟質合成樹脂製その他種々の材質からなるものが提案されている。
【先行技術文献】
【特許文献】
【０００３】
【特許文献１】特開２０１０−３１０８３号公報
【考案の開示】
【考案が解決しようとする課題】
【０００４】
このような材質からなる場合には、携帯型通信端末器保護の機能は十分であろうが、帯電防止機能に関しては十分であるとは言い難い。冬になるほど、静電気が発生しやすいので、携帯型通信端末器を持ったときに不快な静電気を手に感じることが多い。
【０００５】
そこで、本考案者は、カバーを特別の材質からなるものとすれば、この欠点を解消し得ることに気付き、本考案を完成するに至った。
【課題を解決するための手段】
【０００６】
すなわち、本考案による携帯型通信端末器用カバーは、エチレン酢酸ビニル共重合体を主体とする組成物に帯電防止剤を含有させた樹脂からなる成形品であって、携帯型通信端末器Ｂの液晶画面ｂを除く部分を覆い得るように、底板１の周囲に枠体２を備えたことを特徴とするものである。
【０００７】
携帯型通信端末器用カバーがエチレン酢酸ビニル共重合体を主体とする組成物に帯電防止剤を含有させた樹脂からなる成形品である場合には、帯電防止機能が極めて優れたものとなる。また、このカバーの他の特長は、軟らかく、しかも、極めて軽いことである。
【考案の効果】
【０００８】
本考案によれば、帯電防止機能が極めて優れたカバーを安価に提供することができる。また、このカバーは軟らかく、しかも、極めて軽いものである。
【図面の簡単な説明】
【０００９】
【図１】本考案による携帯型通信端末器用カバーの一例を示す斜視図で、携帯型通信端末器とともに示す。
【考案を実施するための形態】
【００１０】
本考案による携帯型通信端末器用カバーの一例を、図面に基づいて詳細に説明する。本考案による携帯型通信端末器用カバーＡは、少なくとも、エチレン酢酸ビニル共重合体を主体とする組成物に帯電防止剤を含有させた樹脂からなる成形品であり、その主成分の中に、エチレンプロピレンゴムを含有させることができ、全てを一体的に成形することができる。
【００１１】
図面に示すように、携帯型通信端末器の１つである多機能携帯電話（いわゆるスマートフォン）Ｂを覆う場合を例に挙げて説明すると、この多機能携帯電話Ｂの液晶画面ｂを除く部分を覆い得るように、底板１の周囲に枠体２を備えたものとなっている。さらに詳しく説明すると、ほぼ方形状である多機能携帯電話Ｂの形状に合致するごとく、カバーＡもほぼ方形状としてあり、さらに、多機能携帯電話Ｂの裏面を覆う底板１の四周に、多機能携帯電話Ｂの四つの側面ｂ’部分を囲繞し得る枠体２を備えている。
【００１２】
このようにすれば、ほぼ方形状である多機能携帯電話Ｂの液晶画面ｂを除く部分をカバーＡですっぽりと覆うことができ、カバーＡがエチレン酢酸ビニル共重合体を主体とする組成物に帯電防止剤を含有させた樹脂からなっているから、多機能携帯電話Ｂを持っても、不快な静電気を手に感じることを防止でき、帯電防止機能が極めて優れている。
【００１３】
また、このカバーＡは軟らかく、しかも、極めて軽いものである。しかも、このカバーＡは安価である。
【００１４】
多機能携帯電話Ｂの様々な機能に合わせて、カバーＡの底板１のそれぞれの位置には様々な形状の孔３〜７や、枠体２のそれぞれの位置には様々な形状の孔８，９などが設けられている。
【００１５】
カバーＡがこのようになっていると、このカバーＡで多機能携帯電話Ｂの液晶画面ｂを除く部分をすっぽりと覆ったとしても、カバーＡ付きでも多機能携帯電話Ｂの様々な機能が損なわれることがない。
【００１６】
図示はしないが、他の携帯型通信端末器、例えば、携帯電話やＰＨＳの形状に合わせて、カバーＡの形状を決定することができ、また、携帯電話やＰＨＳの機能に合わせて、カバーＡに形成する孔の形状や数を決定することができる。
【００１７】
エチレン酢酸ビニル共重合体としては、例えば、東ソー株式会社のウルトラセン５４０、同６３１、同６４０、同６３４などを用いることができ、帯電防止剤としては、ドデシルベンゼンスルホン酸ナトリウム塩（例えば、竹本油脂株式会社製のエレカットＳ−４１２−２）を用いることができる。
【００１８】
なお、上記エチレン酢酸ビニル共重合体を主体とする組成物１００重量パーセントに対して、上記帯電防止剤（竹本油脂株式会社製のエレカットＳ−４１２−２）を４重量パーセント含有させた樹脂から携帯型通信端末器用カバーＡを作製し、ＪＩＳ  Ｋ６９１１に準拠して電気抵抗計で当該カバーＡの表面固有抵抗値を測定すると、帯電防止特性に優れていることが分かった。
【符号の説明】
【００１９】
Ａ…携帯型通信端末器用カバー、１…底板、２…枠体、３〜９…孔、Ｂ…携帯型通信端末器、ｂ…液晶画面、ｂ’…側面。
【図１】
0003181063.tif 000003
(57)【要約】      （修正有）【課題】コストと手間かけずに、コンクリート柱のひび割れ・亀裂部分の応急処置を行い、一定期間、確実にコンクリート片の剥落を防止する補修具を提供する。【解決手段】テープ３の巻きつけはテープを軽くひっぱりながら、１／２のラップで下部から上部に向けて行う。コンクリート柱のひび割れ・亀裂部分がテープによって完全に隠れたところで、はさみ、カッター等によりテープを切断し、テープ３がすべての巻きつけ部分でコンクリート柱の表面に十分に粘着していることを確認したうえで、該巻き付け部分の最上部４と、同最下部５にプラスチック製のバンド６を巻きつけて固定する。これによりテープ端部の剥がれを防止することができる。【選択図】図２
0003181013.tif 000002
【実用新案登録請求の範囲】
【請求項１】
コンクリート柱表面のひび割れ・亀裂部分に粘着テープを巻きつけ、該巻きつけ箇所の最上部と最下部をバンドで固定することを特徴とするコンクリート柱表面のひび割れ・亀裂部分の補修部。
【請求項２】
前記粘着テープは、フッ素樹脂を素材とすることを特徴とする、請求項１記載のコンクリート柱表面のひび割れ・亀裂部分の補修部。
【請求項３】
前記粘着バンドは、プラスチックを素材とすることを特徴とする、請求項１又は２記載のコンクリート柱表面のひび割れ・亀裂部分の補修部。
【考案の詳細な説明】
【技術分野】
【０００１】
本考案は、コンクリート柱の亀裂・ひび割れ発生箇所を対象とする、補修部に関する。
【考案の概要】
【考案が解決しようとする課題】
【０００２】
コンクリート柱は環境劣化や経年劣化により表面に亀裂・ひび割れが生じやすく、このような亀裂箇所は架線の点検工事等により発見される。放置するとコンクリートが剥落し、下を通行する歩行者・車両、駐車車両等に害を及ぼすため、立替等早急な対応が必要となる。
【０００３】
しかし、実情は周辺地先住民の了解、通信・電力・音放等の添架物の移設、道路使用等の許認可などで時間がかかり、至急の対応は難しい。また、シート等の巻きつけによる方法は、費用と人手がかかるうえ、これによっては亀裂等による剥落を確実に防止することは困難である。
【０００４】
そこで上述の場合には、立替え等の準備を進める間、実害が発生しないように付近の交通を遮断する等の措置をとらざるを得ず、一定期間、不便が生ずる。
【０００５】
本考案は、このような問題を解決するものであって、コストと手間をかけず、テープの巻きつけと樹脂バンドによる該テープ端部の固定という簡単な方法によって、亀裂等による剥落を一定期間、確実に防止することができるようにした。
【課題を解決するための手段】
【０００６】
上記の目的を達成するため、本考案の補修部は、コンクリート柱の亀裂等が生じた部分に、耐薬品性、絶縁性、耐候性、耐吸湿性 、耐吸水性を有する樹脂製のテープをラップして巻いたうえ、最上部と最下部をバンドで固定することによって該テープの端部の剥がれを防止するという構成になっている。
【考案の効果】
【０００７】
本考案の補修部の施工は、（１）特殊技能を要さない巻きつけるだけの簡単施工、（２）プライマー等下地処理が不要、（３）雨天でも施工可能であるため、短時間、少人数（テープ巻きつけおよび固定バンド取り付け作業は1人でも可能）、低コストで、緊急安全の応急処置を行うことができる。
【０００８】
また、本補修部に使用されるテープは、耐薬品性、絶縁性、耐候性、耐吸湿性 、耐吸水性に優れ、コンクリート柱の立替え工事までの期間、確実にコンクリート片の剥落を防止することができるため、交通を遮断する等の措置をとる必要がなくなる。
【図面の簡単な説明】
【０００９】
【図１】施工中の本補修部の図である
【図２】施工後の本補修部の図である。
【考案を実施するための最良の形態】
【００１０】
本補修部の施工準備としては、コンクリート柱表面のプライマー等の下地処理は不要であるが、テープの粘着力を確保するためにウェス清掃を行うことが望ましい。  
【００１１】
図１において、テープ３の巻きつけはテープを軽くひっぱりながら、１／２のラップで下部から上部に向けて行う。
【００１２】
コンクリート柱のひび割れ・亀裂部分２がテープによって完全に隠れたところで、はさみ、カッター等によりテープを切断し、テープ３がすべての巻きつけ部分でコンクリート柱の表面に十分に粘着していることを確認したうえで、該巻き付け部分の最上部４と、同最下部５にプラスチック製のバンド６を巻きつけて固定する。これによりテープ端部の剥がれを防止することができる（図２）。
【００１３】
また、テープ３の巻きつけ部分がコンクリート柱の足場ボルト部分と重なる場合には、いったん足場ボルトを外し、テープ巻きつけ後に足場ボルトを設置する。
【００１４】
テープ３は、厚さ0.23mm、幅50mm程度のものとし、素材には、耐薬品性、絶縁性、耐候性、耐吸湿性 、耐吸水性に優れるフッ素樹脂を使用する。これにより、テープ３は、その属性として、260℃までの耐熱性、0.01％（24ｈ）以下の吸引率、13.7~34.3MPaまで引きちぎれることのない引張強さ、200~400%の伸び率、1×1016Ω以上の表面抵抗率、および屋外で考えられる環境下では物性を損なうものがないほどの耐薬品性と絶縁性とを有し、固定バンド６の使用と合わせて、一定期間、確実に、亀裂部分からのコンクリート片の剥落を防止することができる。
【符号の説明】
【００１５】
１    コンクリート柱
２    コンクリート柱の亀裂・ひび割れ部分
３    粘着テープ
４    粘着テープ巻き付け箇所の最上部
５    粘着テープ巻き付け箇所の最下部
６    固定バンド    
【図１】
0003181013.tif 000003
【図２】
0003181013.tif 000004
【手続補正書】
【提出日】平成24年11月12日(2012.11.12)
【手続補正１】
【補正対象書類名】実用新案登録請求の範囲
【補正対象項目名】全文
【補正方法】変更
【補正の内容】
【実用新案登録請求の範囲】
【請求項１】
コンクリート柱表面のひび割れ・亀裂部分を補修するための補修具であって、前記ひび割れ・亀裂部分を巻き付ける粘着テープと、前記粘着テープの最上部と最下部とを固定するバンドとからなることを特徴とするコンクリート柱表面のひび割れ・亀裂部分を補修するための補修具。
【請求項２】
前記粘着テープは、フッ素樹脂を素材とすることを特徴とする、請求項１記載のコンクリート柱表面のひび割れ・亀裂部分を補修するための補修具。
【請求項３】
前記バンドは、プラスチックを素材とすることを特徴とする、請求項１又は２記載のコンクリート柱表面のひび割れ・亀裂部分を補修するための補修具。
(57)【要約】      （修正有）【課題】植物性活性炭素繊維を加えることにより、植物性活性炭素繊維が輻射熱として放出する遠赤外線の熱浸透効果により体温を高めることにより免疫力を高め、血流を促進し新陳代謝を高めることを可とする腹巻きを提供する。【解決手段】筒状のメリヤス織りの生地を腹巻のように折り返し二重にして、折り返し部分を下になるようにして、縦に４ケ所縫い合わせて前後（腹部及び背中部）２ケ所を袋状にする。フエルト状又は織布状の植物性活性炭素繊維の表裏に織布を重ね、三重にして縫着したパッドを、上記袋状部分に挿入して装着するのに適したサイズでつくる。上記植物性活性炭素繊維パッドを、上記袋状の部分に挿入して装着し、腹部に着用して使用する。【選択図】図１
0003181020.tif 000002
【実用新案登録請求の範囲】
【請求項１】
筒状のメリヤス編みの生地を二つ折りにして、腹巻状にしたものを縦に４ケ所縫合し、前後２ケ所に袋状の部分をつくり、この部分に植物性活性炭素繊維で作ったパッドを挿入して装着する腹巻。
【考案の詳細な説明】
【技術分野】
【０００１】  腹巻は、古くから健康グッズとして普及し親しまれてきたが、衣服及び生活習慣の変革により姿を消しつつあった。然しながら近年の高齢化社会現象により再認識されるようになり、さらに効果的な腹巻が求められている。
このようなことから、従来の単に腹部を温めるだけの腹巻とは異なり、疲労回復や腰痛、ダイエット、健康増進に効果がある腹巻の考案した。
【背景技術】
【０００２】  従来の腹巻は、毛糸によるメリヤス編みの筒型のものが主流であり、これを一重又は二重にして腹部を覆うようにして使用するもので、腹部を温める保温が目的である。
【考案の概要】
【考案が解決しようとする課題】
【０００３】  従来の腹巻に植物性活性炭素繊維を加えることにより、植物性活性炭素繊維が輻射熱として放出する遠赤外線の熱浸透効果により体温を上げることにより免疫力を高め、併せてクラスター効果により血流を促進し新陳代謝を高めることにより、内臓の活性化や疲労回復及び腰痛、美容等に効果がある付加価値の高い腹巻を考案した。
【課題を解決する為の手段】
【０００４】  上記の課題を解決するには、以下の手段を講じる。
（１）筒状のメリヤス編みの生地をを折り返して二重にして腹巻状にしたものを、折り返し部分を下になるようにして、縦に４ケ所縫合して、前後（腹部及び背中部）２ケ所を袋状にする。
（２）フエルト状又は織布状の植物性活性炭素繊維の表裏に織布を重ね、三重にして縫着したパッドを、上記（１）の袋状部分に装着するのに適したサイズにしてつくる。
【考案を実施するための形態】
【０００５】  前記（２）の植物性活性炭素繊維パッドを、前記（１）の２ケ所の袋状部分に挿入して装着し、腹部に着用して使用する。
【発明の効果】
【０００６】    植物性活性炭素繊維は、輻射熱として遠赤外線を放出する。この遠赤外線の波長は１３ミクロンから１７ミクロン前後で太陽光線に含まれており、熱浸透性及びクラスター効果があり、水分を微細化し植物が地中から水分を吸い上げることを容易にしていることから、植物の育成に欠かせないものとして育成光線と称されている。
本考案の腹巻は、腹巻の腹部と背中部に植物性活性炭素繊維が入れてあり、この植物性活性炭素繊維が人体からの輻射熱で育成光線と同じ遠赤外線を放出することから、この輻射熱が体内に浸透して体温を上げることにより免疫力が高まり、併せてクラスター効果により血液を微細化して血行をよくし新陳代謝を高め、疲労回復や美容、健康増進に効果がある。
【図面の簡単な説明】
【０００７】
【図１】腹巻の本体
【図２】腹巻本体の断面図
【図３】植物性活性炭素繊維パッド
【図４】植物性活性炭素繊維パッドの断面図
【符合の説明】
【０００８】（１）縫い合わせ部分
（２）袋状部分
（３）メリヤス編み生地
（４）折り返し部分
（５）植物性活性炭素繊維パッドの表裏の織布
（６）植物性活性炭素繊維
【図１】
0003181020.tif 000003
【図２】
0003181020.tif 000004
【図３】
0003181020.tif 000005
【図４】
0003181020.tif 000006
(57)【要約】      （修正有）【課題】後片付けが簡単な両面焼き加熱庫を提供する。【解決手段】足を取り付けた前壁１と背壁２、電気抵抗発熱体を取り付けた左右の側壁３、排気口を設けた上蓋４およびＵ字型調理物支持器５により両面焼き加熱庫を形成する。使用にあたっては、Ｕ字型調理物支持器に魚等の被調理物を載置して両面から焼き、焼く時に生じる焼き汁は加熱庫の下部に設置した皿に落下するので、後片付けは簡単で皿を洗うだけで良い。【選択図】図１
0003181017.tif 000002
【実用新案登録請求の範囲】
【請求項１】
足を取り付けた前壁と背壁、電気抵抗発熱体を取り付けた左右の側壁および両端に排気口を設けた上蓋で構成され、底壁がないことを特徴とする両面焼き加熱庫であって、前記加熱庫内に出し入れ可能で、被調理物が載置されるＵ字型調理物支持器を備えた両面焼き加熱庫。
【考案の詳細な説明】
【技術分野】
【０００１】  本考案は、調理物を両面から加熱する両面焼き加熱庫に関するものである。
【背景技術】
【０００２】  従来、この種の両面焼き加熱庫には熱源としてガスや電気抵抗発熱体を使用したものがあるが、これらは多人数を対象としており、後片付けが大変である。
【考案の概要】
【考案が解決しようとする課題】
【０００３】  しかしながら、現代社会は一人世帯、二人世帯といった少人数世帯が沢山あり、かつ増加の傾向にある。これらの世帯では後片付けが簡単な両面焼き加熱庫が求められている。
【課題を解決するための手段】
【０００４】  本考案は足を取り付けた前壁と脊壁、電気抵抗発熱体を取り付けた左右の側壁、両端に排気口を設けた上蓋およびＵ字型調理物支持器から搆成された加熱庫で、Ｕ字型調理物支持器は加熱庫内に出し入れ可能で、加熱庫内に装着して被調理物を載置して両面から焼き、焼く時に生じる焼き汁は加熱庫の下部に設置した皿に落下するようにした。
【考案の効果】
【０００５】  本考案は食材を両面から加熱するので均一に焼くことができ、焼いた時に生じる焼き汁は加熱庫の下部に設置した皿の上に落下するので、後片付けは簡単で皿を洗うだけで良い。
【図面の簡単な説明】
【０００６】
【図１】本考案の実施例を示す両面焼き加熱庫の上蓋を開け、Ｕ字型調理物支持器を装着した状態の斜視図である。
【図２】本考案の実施例を示す両面焼き加熱庫の下方に皿を設置した時の外観構成を示す斜視図である。。
【図３】本考案の実施例を示す両面焼き加熱庫に装着するＵ字型調理物支持器の斜視図である。
【図４】本考案の実施例を示す両面焼き加熱庫の上蓋を開けた状態の斜視図である。
【図５】本考案の実施例を示す両面焼き加熱庫に装着するＵ字型調理物支持器に魚を載置した斜視図である。
【考案を実施するための形態】
【０００７】  本考案は前壁、背壁および電気抵抗発熱体を取り付けた左右の側壁で形成された中空直方体の一方の側壁に上蓋、前壁および背壁に足を取り付けて加熱庫を製作し、調理物支持器を装着して調理物を載置し、両面から焼く構造とした。
【実施例】
【０００８】  次に本考案を図に示す実施形態に基づいて詳細に説明する。図２は本考案の加熱庫の下方に皿を設置した時の外観構成を示す斜視図で、図３はＵ字型調理物支持器の斜視図、図４は加熱庫の上蓋を開けた状態の斜視図である。
図１は図３のＵ字型調理物支持器を図４の加熱庫に装着した状態を示す斜視図で、足を取り付けた前壁１と背壁２、左右の側壁３、上蓋４およびＵ字型調理物支持器から構成されており、前壁１には電源端子７、背壁２には電気抵抗発熱体固定板８、両側壁３には電気抵抗発熱体１１をそれぞれ２個づつ取り付け、直列に結線した。魚１６等の調理物は図５のようにＵ字型調理物支持器に載置し、図４の加熱庫に装着して、加熱庫の側壁に取り付けた電気抵抗発熱体によって両端から均一に加熱する。食材を加熱する際に出る焼き汁は図２のように加熱庫の下に設置した皿１５に落下し、熱された空気は上蓋の両端に設けた排気口１０から排出するようにした。
【符号の説明】
【０００９】１  前壁
２  脊壁
３  側壁
４  上蓋
５  Ｕ字型調理物支持器
６  電源蓋
７  電源端子
８  電気抵抗発熱体固定板
９  足
１０  排気口
１１  電気抵抗発熱体
１２  電気抵抗発熱体止め
１３  Ｕ字型支持棒
１４  電源コード
１５  皿
１６  魚
【図１】
0003181017.tif 000003
【図２】
0003181017.tif 000004
【図３】
0003181017.tif 000005
【図４】
0003181017.tif 000006
【図５】
0003181017.tif 000007
(57)【要約】      （修正有）【課題】ピント棒上に設けられた竿受け本体から魚が針掛かりした時、竿をすばやく手に持ち替えることが出来るように、竿受けに設けられた竿掛けをすばやく外すことが出来る竿掛けを提供する。【解決手段】本考案は、竿掛け引き上げレバー８ａと竿押え込み突起８ｂを設けた竿掛け８で、針掛かりして竿尻７が持ち上げられた場合、竿尻引き上げレバー８ａを押え込むことにより、竿掛けから簡単に竿尻を外すことができる。【選択図】図５
0003181015.tif 000002
【実用新案登録請求の範囲】
【請求項１】
竿受け本体の竿尻側に設けられた竿掛け部に、竿尻を押え込む支点となる突起とレバーを設け、魚が針掛かりした場合竿受けからすばやく竿尻を外すことができることを特徴とする竿掛け。
【考案の詳細な説明】
【技術分野】
【０００１】本考案は、磯釣り用ピント棒上部に設けられた竿受けに関し、更に詳しくは竿尻側の竿掛けが手早く簡単に竿尻から外せる構造に関する。
【背景技術】
【０００２】従来の磯釣り用ピトン棒上に設けられた竿受けは、図１に示すように竿先側は竿を受ける構造でＵ字型又はＶ字型で、竿尻側は竿を掛ける構造で四角ループ状又は逆Ｕ字型で構成されており、竿受けに竿を載せて竿が落ちないように竿尻側は引っ掛け固定していた。
【先行技術文献】
【０００３】
【特許文献】
【特許文献】実用新案出願公開  平２−１０７９７０
【考案の概要】
【考案が解決しようとする課題】
【０００４】ところが、この従来の竿の固定方法では、強風や振動などで竿が外れることがあるため、近年では竿の竿尻に切り込みの溝が設けられているものが主流となってきたため魚が針掛りした場合は、竿先は下方向に引き込まれ、竿尻は強く押し上げられて竿掛けが竿尻に設けられた溝に強く喰い込み竿をすばやく竿受けから外すことが困難となった。【０００５】そこで、本考案は魚が針掛りした場合、竿をピトン棒６上に設けられた竿受け本体１からすばやく外し手に持ち替えることが出来るように竿尻７の竿掛け８を提供することを目的とする。
【課題を解決するための手段】
【０００６】上記課題を解決するために、この考案は、ピトン棒６上に設けられた竿受け１の竿尻側に設けられた本考案竿掛け８は竿尻７を下方向に押し下げる突起８ｂ、レバー８ａを設けることによって、本考案竿掛け８に設けられたレバー８ａを下方に押え込むと本考案竿掛け８を竿尻７の後方に持ち上げて竿尻７に設けられた切り溝７ａからすばやく外すことができるようにした。
【考案の効果】
【０００７】本考案は、最近主流となってきた竿の竿尻７に設けられた切りこみ溝７ａに魚が針掛かりして喰い込んだ、本考案竿掛け８を竿掛け引き上げレバー８ａを押し下げると本考案竿掛け８に設けられた竿尻押え込み突起８ｂが、竿尻を押え込むことにより本考案竿掛け８が、竿尻に設けられた溝７ａから簡単に竿を外すことができる。
【図面の簡単な説明】
【０００８】
【図１】従来の竿受け構造図
【図２】最近の竿尻の側断面図
【図３】最近の竿尻に竿掛けが収まった図
【図４】魚が針掛かりした場合
【図５】本考案の側断面図
【図６】竿掛けレバーを押し下げた側断面図
【図７】竿掛けが竿尻溝から外れた側断面図
【考案を実施するための形態】
【００９】竿受け本体の竿尻側に設けられた竿掛け上部に可動部を設けたレバーを設け、レバーの竿尻後部に接するように突起部を設けことにより、レバーを押し下げるとレバーに設けられた突起部が竿尻を押しこむと同時に竿掛けを持ち上げることができる。
【実施例】
【００１０】以下、添付図面に従って実施例を説明する。図５はピント棒上に設けられた竿受け１の竿尻側に設けられた本考案竿掛け８には、竿掛け引き上げレバー８ａ、竿尻押え込み突起８ｂが設けられており、竿を竿受けに乗せて、竿尻に設けられた溝７ａに本考案竿掛け８を掛けて竿を固定する。【００１１】針掛かりして、竿尻が持ち上げられて竿尻に設けられた溝７ａに本考案竿賭け８が強く押し込まれ場合、竿掛け引き上げレバー８ａを押し下げることにより、竿尻押え込み突起８ｂが竿尻７を下方に押し込み、切り込み溝７ａから竿掛け８をすばやく外すことが出来る。
【符号の説明】
【００１２】１    竿受け本体
２    竿
３    竿尻
４    竿掛け
５    竿受け
６    ピント棒
７    最近の竿尻
７ａ  溝
８    本考案竿掛け
８ａ  竿掛け引き上げレバー
８ｂ  竿尻押え込み突起
【図１】
0003181015.tif 000003
【図２】
0003181015.tif 000004
【図３】
0003181015.tif 000005
【図４】
0003181015.tif 000006
【図５】
0003181015.tif 000007
【図６】
0003181015.tif 000008
【図７】
0003181015.tif 000009
(57)【要約】      （修正有）【課題】泡沫金具と節水弁が一体化され、水の跳ね上がりを防止でき、かつ節水効果が得られ、簡単に水道蛇口に取り付けられる節水弁つき泡沫金具を提供する。【解決手段】泡沫金具が入るスペースを確保するために、泡沫金具の蛇ロ取りつけ部分の長さを大きくし、抱沫金具の空気混合機構２の上に節水弁が隙間が無くなるように、節水弁１の下側を凹形にへこませる。上記節水弁は、上記の凹形部に泡沫金具の凸形形状に通合し、泡沫金具の上に重ねて配置する。泡沫金具の水の出口部分５と、水道蛇口先端に取り付けるネジ部分３の距離は十分に長く、泡沫金具に節水弁を内蔵するに必要なスベースが確保されている。【選択図】図１
0003181011.tif 000002
【実用新案登録請求の範囲】
【請求項１】
泡沫金具に節水弁を内蔵できるスペースがあり、また節水弁が泡沫金具に適合する形状をもつことにより、泡沫金具と節水弁が一体化した水栓具。
【考案の詳細な説明】
【考案の詳細な説明】
【考案が解決しようとする課題】
【０００１】  蛇口から出る水のシンク上での跳ね返りを防止するため、泡沫金具が水道蛇口の先端に取り付けられる。泡沫金具には、水流を利用して水の中に空気を混入させるための機構が組みこまれている。この機構が節水にも役立つという商品もあるが、本格的な節水には節水弁の使用が望まれる。しかし従来の抱沫全具と節水弁の併用は困難である。何故ならば、泡沫金具には節水弁を入れるスペースが無く、また泡沫金具の空気を混入する機構の形状に従来の節水弁の形状が適合しないからである。このような現状の課題を解決すべく、泡沫金具と節水弁の両機能を有する水栓具を考案した。
【課題題を解決するための手段】
【０００２】  飾水弁が入るスペースを確保するために、泡沫金具の蛇ロ取りつけ部分の長さを大きくし、抱沫金具の空気混合機構の上に節水弁が隙間が無くなるように、節水弁の下側を凹形にへこませる。
【考案の効果】
【０００３】泡沫金具と節水弁が一体化され、水の跳ね上がりを防止でき、かつ節水効果が得られる水栓具を簡単に水道蛇口に取り付けられる。
【図面の簡単な説明】
【０００４】
【図１】水道蛇口に取りつける本考案の節水弁・泡沫金具一体の水栓具の断面図を示す。図の下方向が水流の向き（川下）であり、節水弁の形状は下向きに凹の形をしており、泡沫金具の凸形形状に通合し、泡沫金具の上に責ねられ配置されている。泡沫金具の水の出口部分と、水道蛇口先端に取り付けるネジ部分の距離は十分に長く、泡沫金具に節水弁を内蔵するに必要なスベースが確保されている。
【符号の説明】
【０００５】１．節水弁２．泡沫金具空気混合機構３．蛇口取り付け用ネジ部４．節水弁流水孔５．泡沫金具水流出ロ
【図１】
0003181011.tif 000003
(57)【要約】      （修正有）【課題】蓋のある容器や立方体容器を、簡単に結束する包装用結束ゴム輪を提供する。【解決手段】円環状のゴム輪に、直立するように逆Ｕ字状のゴム紐を複数設け、ゴム紐の両端部は、ゴム輪に橋渡すように接続する。【選択図】図１
0003181024.tif 000002
【実用新案登録請求の範囲】
【請求項１】
円環状のゴム輪（１）に直立するように逆Ｕ字状のゴム紐（２）を複数設け、ゴム紐（２）の両端部（３）は、ゴム輪（１）に橋渡すように接続した包装用結束ゴム輪。
【考案の詳細な説明】
【技術分野】
【０００１】  この考案は、円環状のゴム輪に、直立する様に逆Ｕ字状のゴム紐を複数設け、ゴム紐の両端部はゴム輪に橋渡すように接続した包装用結束ゴム輪である。
【背景技術】
【０００２】  従来のゴム輪は、一方向に束ねるか、或は、それをコイル状に巻いて被結束物を束ねていた。
【考案の概要】
【考案が解決しようとする課題】
【０００３】  従来のゴム輪では、直方体や立方体の被結束物を束ねるのに、数本のゴム輪を縦横に掛けなければならなかったが、本考案は以上の様な欠点を無くす為に考案されたものである。
【課題を解決する為の手段】
【０００４】  円環状のゴム輪に、直立する様に逆Ｕ字状のゴム紐を複数設け、ゴム紐の両端部はゴム輪に橋渡すように接続する。本考案は、以上の構造により成る。
【考案の効果】
【０００５】  容器や箱、ファイルにかぶせる事で、身と蓋、左右両面及び天板部分の三方向を同時に、かつ強く結束することが出来る。
【図面の簡単な説明】
【０００６】
【図１】  本考案の斜視図である。
【図２】  本考案の実施例を示した斜視図である。
【図３】  本考案の実施例を示した斜視図である。
【図４】  本考案の実施例を示した斜視図である。
【考案を実施するための形態】
【０００７】  円環状のゴム輪（１）に直立する様に、逆Ｕ字状のゴム紐（２）を複数設け、ゴム紐（２）の両端部（３）は、ゴム輪（１）に橋渡すように接続する。本考案は、以上の構造より成る。
本考案を使用する場合は、図２に示すように容器（４）の蓋（５）の天板部分をゴム紐（２）で押さえるように掛け、ゴム輪（１）を容器の胴体部に掛ける。
又、図３に示すように、複数のファイル（６）の胴体にゴム輪（１）を掛け、天頂部をゴム紐（２）で押さえる。
又、図４は、結束ゴム輪を２カ所に使用する例である。容器（４）の胴体にゴム輪（１）を左右両端より１本ずつ掛け、容器（４）と蓋（５）をゴム紐（２）で押さえる。
本考案は、以上のような構造である。
【符号の説明】
【０００８】１  ゴム輪
２  ゴム紐
３  端部
４  容器
５  蓋
６  ファイル
【図１】
0003181024.tif 000003
【図２】
0003181024.tif 000004
【図３】
0003181024.tif 000005
【図４】
0003181024.tif 000006
(57)【要約】      （修正有）【課題】瓦と瓦桟との固定を確実にして、地震、台風、竜巻等が襲来した場合にも、瓦が風圧でガタついて、飛んだり、ずれたりすることがない瓦葺き屋根構造を提供する。【解決手段】瓦の裏面に複数の溝部分又は凹み部分を形成し、ルーフィング４と間に注入した発泡材層７が固化しないうちに、発泡材料の一部が瓦の裏側の溝部分又は凹み部分に充填されるようにして、ルーフィング４と瓦との間に発泡材層７を形成した瓦葺き屋根構造１を提供するものである。瓦が屋根下地から滑る、風圧によって吹き上がりを瓦桟５と発泡材層７で押さえる（硬質ウレタンフォーム・現場発泡断熱材吹き付け材）ことで、地震・台風・竜巻等の強風に対し強い構造となる。【選択図】図１
0003181021.tif 000002
【実用新案登録請求の範囲】
【請求項１】
瓦の裏面に複数の溝部分又は凹み部分を形成し、ルーフィングと瓦との間に注入した発泡材料が固化しないうちに、発泡材料の一部前記の溝部分又は凹み部分に充填されるようにして、ルーフィングと瓦との間に発泡材層を形成したことを特徴とする瓦葺き屋根構造。
【請求項２】
前記の溝部分は、かわらの幅方向に複数形成したものであることを特徴とする請求項１に記載の瓦葺き屋根構造。
【請求項３】
前記の凹み部分は、瓦の長さ方向に密に形成したものであることを特徴とする請求項１に記載の瓦葺き屋根構造。
【考案の詳細な説明】
【技術分野】
【０００１】  本考案は、地震、台風、竜巻等によって家屋の屋根に敷設した瓦が容易に飛んだり、ずれたりしないように瓦葺き屋根構造に関する提案します。
【背景技術】
【０００２】  日本の住宅の家屋の屋根は、棟から軒先に掛けて所定の間隔で複数に配設するタルキに野地板・ルーフィングを敷設し、このルーフィングの上に水平方向に所定の間隔で複数の瓦桟が配設し、これら瓦桟に引っ掛けたり、銅釘などで固定して瓦を葺設してある。【０００３】そして、従来、室内外の断熱性を高める為、瓦の裏面に溝部分又は凹部分を形成し、これに発泡断熱層を形成した瓦を使用したり（特許文献１参照）、ルーフィングと瓦との間に、硬質の発泡断熱材を介在させたりしている（特許文献２参照）。
【先行技術文献】
【特許文献】
【０００４】
【特許文献１】  実開平０３−２０６２５号公報
【特許文献２】  実開平０３−４７９２４号公報
【考案の概要】
【考案が解決しようとする課題】
【０００５】  しかし、特許文献１の屋根構造では瓦と瓦桟との固定が十分ではなく、又、特許文献２の屋根構造では、瓦と瓦桟、発泡断熱材との固定が十分ではなく、地震、台風、竜巻等が襲来した場合には、瓦が風圧によって、ガタついて、飛んだり、ずれたりする事があった。
【課題を解決するための手段】
【０００６】  そして、瓦が飛んで人間に当たると、怪我等して危険であり、又、器物に当たると破壊等して損失を受ける。又、瓦が飛んだり、ずれたりすると、雨漏りの原因になる為、修理をする必要がある。【０００７】  本考案は、かかる従来の問題点に鑑みで為されたものであって、その目的とするところは、瓦と瓦桟との固定を確実にして、地震、台風、竜巻等が襲来した場合にも、瓦が風圧でガタついて、飛んだり、ずれたりすることがない瓦葺き屋根構造を提供することである。【０００８】  上記の目的を達成する為に、本考案は瓦の裏面に複数の溝部分又は凹み部分を形成し、ルーフィングと瓦との間に注入した発泡材料が固化しないうちに、発泡材料の一部が瓦の裏側の溝部分又は凹み部分に充填されるようにして、ルーフィングと瓦との間に発泡材層を形成した瓦葺き屋根構造を提供するものである。【０００９】  前記の溝部分は、瓦の横方向に複数形成するのが好ましく、前記の凹み部分は、瓦の長さ方向に複数形成するのが好ましい。
【考案の効果】
【００１０】  本考案の瓦葺き屋根構造によれば、発泡材料の一部が瓦に形成した溝部分又は凹み部分に充填されている為、瓦と発泡材層との間の固定が寄り強固となり、地震、台風、竜巻等が襲来した場合にも、瓦が風圧でガタついて、飛んだり、ずれたりすることはない。
【図面の簡単な説明】
【００１１】
【図１】本考案の瓦葺き屋根構造の側面断面図である。
【図２】図１において使用する瓦の斜視図である。
【図３】図１において使用する瓦の一実施例の（Ａ）は平面図、（Ｂ）は正面断面図、（Ｃ）は側面断面図である。
【図４】図１において使用する瓦の他実施例の（Ａ）は平面図、（Ｂ）は正面断面図、（Ｃ）は側面断面図である。
【考案を実施するための形態】
【００１２】  以下、本考案の瓦葺き屋根構造の好適な実施形態について、図面を参照しつつ詳細に説明する。
【実施例】
【００１３】  本考案の瓦葺き屋根構造１は図１に示すように、楝から軒先に掛けて所定の間隔で複数配設したタルキ２、２、・・・野地板３敷設し、このルーフィング４上に水平方向に所定間隔で複数の瓦桟５、５、・・・を配設し、これら瓦桟５、５・・・に引っ掛けたり銅釘で固定して瓦６、６、・・・を敷設してある。【００１４】  瓦６は、図２に示すように、正面断面が波状を呈する和型桟瓦であり、一実施例の瓦６１は、図３に示すように、その裏面に、幅方向に複数の溝部分６１ａ，６１ａ，・・・を形成してある。【００１５】他実施例の瓦６２は図４に示すように、その裏面に、長さ方向に密に複数の凹み部分６２ａ，６２ａ・・・を形成してある。【００１６】  そして、ルーフィング４と瓦６、６・・・との間に、コンプレッサー等によって泡状の発泡材料の一部を前記溝部分６１ａ又は凹み部分６２ａに充填させ、その後、発泡材料を固化させて、ルーフィング４と瓦６，６、・・・との間に発泡材層７を形成して、瓦葺き屋根構造を形成する。
【産業上の利用可能性】
【００１７】  発泡材料としては、発泡ポリスチレン、発泡硬質ポリウレタン等を採用できるが、スプレー発泡が容易な発泡硬質ポリウレタンを採用するのがより好ましい。
重い屋根（戦後まもなく建てた住宅）瓦葺き屋根（土を仕様した瓦葺き）、本考案の瓦葺き屋根構造は硬質発泡ポリウレタンを採用の為、屋根を軽く耐震性優れている。
これからは屋根を軽くするように指示。【００１８】  又、発泡材層７と瓦桟５、５・・・ルーフィング４との固定をより強固にするため、発泡材料をルーフィング４上に十分に拡張させるのが好ましい。【００１９】  以上のように、本考案の瓦葺き屋根構造１によれば、発泡材料の一部が瓦６に形成した溝部分６１ａ又は凹み部分６２ａに充填されている為、瓦６と発泡材層７との閧の固定がより強固となり、地震、台風、竜巻等が襲来した場合にも、瓦６が風圧でガタついて、飛んだり、ずれたりすることはない。
【符号の説明】
【００２０】  １      瓦葺き屋根構造
２      タルキ
３      野地板
４      ルーフィング
５      瓦桟
６      瓦
６１    瓦
６１ａ  溝部分
６２    瓦
６２ａ  凹み部分
７      発泡材層
【図１】
0003181021.tif 000003
【図２】
0003181021.tif 000004
【図３】
0003181021.tif 000005
【図４】
0003181021.tif 000006
(57)【要約】      （修正有）【課題】広告の内容を長方体に表示し、文字が読みやすくまた、長方体に角度をつけることができ、正面・左面・右面・裏面からも容易に視認できる広告パネルを提供する。【解決手段】折り曲げ可能な材質からなる長方体の中央部に、長方辺と平行な切れ目２を２ヶ所入れ、切れ目の中央部に力を加えることで、中央部の切れ目が開放の形状になる様にする。上記折り曲げ加工が可能な材質とは、例えば段ボールシートである。切れ目の長さや切れ目の間隔は、広告パネル１の長辺、短辺、厚みおよびパネルを設置する支注の太さを考慮し、支柱３に広告パネル１が固定支持されるよう適宜選択する。広告パネルを設置する支注の太さをＤとし長方体の厚みをＥとした場合においては、切れ目の長さを２Ｄ＋Ｅ〜２Ｄ＋３Ｅにするのが好ましい。中央部の切れ込みの間隔は、広告パネルの短辺長のおおよそ３分の１にするのが好ましい。【選択図】図３
0003181026.tif 000002
【実用新案登録請求の範囲】
【請求項１】
折り曲げ可能な材質からなる長方体の中央部に、長方辺と平行な切れ目を２ヵ所入れ、切れ目の中央部に力を加えることで、中央部の切れ目が開放の形状になることを特徴とする広告パネル。
【請求項２】
広告パネルの中央部の切れ目の間に、滑り止めシートを貼着したことを特徴とする、請求項１の広告パネル。
【考案の詳細な説明】
【技術分野】
【０００１】本考案は、イベント用広告の手段として用いられる広告パネルに関するものである。
【背景技術】
【０００２】一般に、広告の手段として用いられるのぼりは、天候に左右され効力を発揮できない場合があり、風向きによっては文字が反転して読みづらい。また、長期間使用することで、のぼり自体が劣化・色汗・汚れなど耐久性に問題がある。
【考案の概要】
【考案が解決しようとする課題】
【０００３】本考案の課題は、広告の内容を長方体に表示し、文字が読みやすくまた、長方体に角度をつけることができ、正面・左面・右面・裏面からも容易に視認できる広告パネルを提供することである。
【課題を解決するための手段】
【０００４】本考案その１は、折り曲げ可能な材質からなる長方体の中央部に、長方辺と平行な切れ目を２ヶ所入れ、切れ目の中央部に力を加えることで、中央部の切れ目が開放の形状になることを特徴とする広告パネルである。【０００５】本考案の、折り曲げ加工が可能な材質とは、例えば段ボールシートが考えられるが、これと同様な弾性を持つ物であれば材質には拘らない。【０００６】切れ目の長さや切れ目の間隔は、広告パネルの長辺、短辺、厚みおよびパネルを設置する支注の太さを考慮し、支柱に広告パネルが固定攴持されるよう適宜選択する。【０００７】広告パネルを設置する支注の太さをＤとし長方体の厚みをＥとした場合においては、切れ目の長さを２Ｄ＋Ｅ〜２Ｄ＋３Ｅにするのが好ましい。【０００８】中央部の切れ込みの間隔は、広告パネルの短辺長のおおよそ３分の１にするのが好ましい。【０００９】本考案その２は、本考案１の広告パネル中央部の切れ目の間に滑り止めシートを貼着したことを特徴とする広告パネルである。【００１０】本考案その２は、滑り止めシートを貼着することにより、より重い広告パネルを支柱に設置した場合の広告パネルが決まった位置に支持固定できない問題を解決するものである。【００１１】本考案で使用する滑り止めシートには、市販されている弾性のある樹脂製で滑り止めのための小突起が多数設けられた編み目状のシートが好ましいが、同じ効果をもつものであればそれに拘らない。【００１２】切れ目の長さや切れ目の間隔は、広告パネルの長辺、短辺、厚みおよび滑り止めシートの厚みとパネルを設置する支注の太さを考慮し、支柱に広告パネルが固定支持されるよう適宜選択する。【００１３】広告パネルを設置する支注の太さをＤとし、長方体の厚みをＥとし、滑り止めシートの厚みをＦとした場合においては、切れ目の長さを２Ｄ＋Ｅ＋Ｆ〜２Ｄ＋３Ｅ＋３Ｆにするのが好ましい。【００１４】本考案では、長方体の表面および裏面に、広告内容が印刷された紙またはシートを貼って広告パネルとして使用される。
【考案の効果】
【００１５】上述のように本考案は、広告の内容を長方体に表示し、文字が読みやすくまた、長方体に角度をつけることができ、正面・左面・右面・裏面からも容易に視認できる広告パネルであり、支柱を準備するだけで屋外並び屋内の広告媒体として機能する優れたものである。
【考案の実施するための最良の形態】
【００１６】本考案その１の実施形態を図１および図２に示した。折り曲げ可能な材質からなる長方体の中央部に、長方辺と平行な切れ目を２ヶ所入れ、切れ目の中央部に力を加えることで、中央部の切れ目が開放の形状になることを特徴とする広告パネルである。本考案の、折り曲げ加工が可能な材質とは、例えば段ボールシートが考えられるが、これと同様な弾性を持つ物であれば材質には拘らない。切れ目の長さや切れ目の間隔は、広告パネルの長辺、短辺、厚みおよびパネルを設置する支注の太さを考慮し、支柱に広告パネルが固定支持されるよう適宜選択する。広告パネルを設置する支注の太さをＤとし長方体の厚みをＥとした場合においては、切れ目の長さを２Ｄ＋Ｅ〜２Ｄ＋３Ｅにするのが好ましい。中央部の切れ込みの間隔は、広告パネルの短辺長のおおよそ３分の１にするのが好ましい。図３は、本考案の広告パネルを支注に設置した図である。本考案では、長方体の表面および裏面に、広告内容が印刷された紙またはシートを貼って広告パネルとして使用される
【００１７】    本考案その２の実施形態を図４に示した。本考案１の広告パネル中央部の切れ目の間に滑り止めシートを貼着したことを特徴とする広告パネルである。本考案その２は、滑り止めシートを貼着することにより、より重い広告パネルを支柱に設置した場合の広告パネルが決まった位置に支持固定できない問題を解決するものである。本考案で使用する滑り止めシートには、市販されている弾性のある樹脂製で滑り止めのための小突起が多数設けられた編み目状のシートが好ましいが、同じ効果をもつものであればそれに拘らない。切れ目の長さや切れ目の間隔は、広告パネルの長辺、短辺、厚みおよび滑り止めシートの厚みとパネルを設置する支注の太さを考慮し、支柱に広告パネルが固定支持されるよう適宜選択する。広告パネルを設置する支注の太さをＤとし、長方体の厚みをＥとし、滑り止めシートの厚みをＦとした場合においては、切れ目の長さを２Ｄ＋Ｅ＋Ｆ〜２Ｄ＋３Ｅ＋３Ｆにするのが好ましい。中央部の切れ込みの間隔は、広告パネルの短辺長のおおよそ３分の１にするのが好ましい。本考案では、長方体の表面および裏面に、広告内容が印刷された紙またはシートを貼って広告パネルとして使用される。支柱への設置などは本考案その１と同様に行う。
【図面の簡単な説明】
【００１８】
【図１】本考案の広告パネルの平面図である。
【図２】本考案の広告パネル中央部の切れ目が開放形状となる図である。
【図３】本考案の広告パネルを支注に設置した図である。
【図４】本考案その２の滑り止めシートを貼着した広告パネルの平面図である。
【符号の説明】
【００１９】１．広告パネル（長方体）
２．切れ目
３．支柱
４．滑り止めシート
【図１】
0003181026.tif 000003
【図２】
0003181026.tif 000004
【図３】
0003181026.tif 000005
【図４】
0003181026.tif 000006